(57)【特許請求の範囲】
【請求項１】
遊技球通路の外側に、球詰まりを防止するための揺動モータがケース部材に収納された状態で設置されたパチンコ機であって、
ケース部材と遊技球通路との間に、端縁の内の少なくとも一部が、ケース部材の表面に沿って揺動モータ側に折り返された金属製の遮蔽プレートを設置するとともに、
ケース部材に、対向状に突設された一対のプレート押さえ片を設け、当該プレート押さえ片により、遮蔽プレートの折り返された端縁を位置決めしていることを特徴とするパチンコ機。
【請求項２】
遊技球通路が、上流側から下流側にかけて次第に幅狭になるように形成されたものであることを特徴とする請求項１に記載のパチンコ機。
【請求項３】
ケース部材に係合片を設ける一方、ケース部材を設置する設置対象部材に係合孔を設けており、係合片の係合孔への係合により、ケース部材が遊技球通路の外側に着脱自在に設置されていることを特徴とする請求項１、または請求項２に記載のパチンコ機。
【発明の詳細な説明】
【０００１】
【発明の属する技術分野】
本発明は、パチンコ機に関するものである。
【０００２】
【従来の技術】
通常のパチンコ機には、遊技球を貯留する貯留桶に遊技球通路を連設した遊技球タンクが設置されており、かかる遊技球タンクが、パチンコホールから供給される遊技球を一時的に貯留して、下側に位置した遊技球払出装置等へ送るようになっている。また、従来の遊技球タンクの中には、遊技球通路と隣接した位置に、回転軸に偏心カムを固着した揺動モータを設置し、その揺動モータの偏心カムの回転による振動を利用して、遊技球通路内における遊技球の凝集（球詰まり）を防止するようにしたものがある。
【０００３】
【発明が解決しようとする課題】
しかしながら、上記した揺動モータを設置した遊技球タンクは、揺動モータの内蔵された永久磁石の磁力および通電されたコイルによる磁力が遊技球通路内の遊技球に及んでしまい、本来、遊技球通路内における遊技球の凝集を防止するように機能すべき揺動モータがそのように機能せず、却って、遊技球通路内における遊技球の凝集を誘発してしまうことがあった。
【０００４】
本発明の目的は、上記従来の遊技球タンク等の遊技球通路設置部分が有する問題点を解消し、遊技球通路と隣接するように設置された揺動モータが、遊技球通路内における遊技球の凝集を防止するよう正常に機能するパチンコ機を提供することにある。
【０００５】
【課題を解決するための手段】
かかる本発明の構成のうち、請求項１に記載された発明の構成は、遊技球通路の外側に、球詰まりを防止するための揺動モータがケース部材に収納された状態で設置されたパチンコ機であって、ケース部材と遊技球通路との間に、端縁の内の少なくとも一部が、ケース部材の表面に沿って揺動モータ側に折り返された金属製の遮蔽プレートを設置するとともに、ケース部材に、対向状に突設された一対のプレート押さえ片を設け、当該プレート押さえ片により、遮蔽プレートの折り返された端縁を位置決めしていることにある。
請求項２に記載された発明の構成は、遊技球通路が、上流側から下流側にかけて次第に幅狭になるように形成されたものであることにある。
請求項３に記載された発明の構成は、請求項１、または請求項２に記載された発明において、ケース部材に係合片を設ける一方、ケース部材を設置する設置対象部材に係合孔を設けており、係合片の係合孔への係合により、ケース部材が遊技球通路の外側に着脱自在に設置されていることにある。
【０００６】
【発明の実施の形態】
以下、本発明に係るパチンコ機の一実施形態を、図面に基づいて詳細に説明する。図１〜図４は、本発明に係るパチンコ機に設置される遊技球タンクを示したものであり、遊技球タンク１は、遊技球を貯留するための貯留領域である貯留桶２、貯留桶２から流下した遊技球を外部へ流下させるための通路樋３、通路樋３の内部を遊技球通路３２，３２に区画するための仕切り体４等によって組み立て形成されている。
【０００７】
貯留桶２は、合成樹脂によって、上面を開口した横長の箱状に一体成形されている。そして、底板５が、左下がりの傾斜状に設けられており、その底板５の左端の後方側に流下孔６が穿設されている。さらに、周壁７の左右の外側には、係合翼９ａ，９ｂが設けられている。
【０００８】
また、通路樋３も、貯留桶２と同様に、合成樹脂によって、上面を開口した横長の箱状に一体成形されており、周囲を覆う周壁１０が、貯留桶２の周壁７より一回り大きくなっている。通路樋３の左端には、貯留桶２の係合翼９ａより一回り大きな係合翼１１が突設されており、右端には、長尺状の送出突片１２が突設されている。また、通路樋３の内部の中央には、通路樋３の左端から右端に亘って、通路形成壁２５が垂設されている。そして、その通路形成壁２５の後側に、遊技球通路３２，３２が併設されており、各遊技球通路３２，３２の先端は、送出突片１２の内部まで連通した状態になっている。一方、遊技球通路３２，３２の床板２８は、右下がりの傾斜状に設けられており、遊技球をスムーズに流下させるための金属製のプレート２９が敷設されている。また、通路樋３の前方側（通路形成壁２５の外側）は、上げ底状に形成されており、その上げ底状の床面６２には、遊技球通路３２，３２内の球詰まりを防止するための球詰まり防止装置１５が設置されている。なお、球詰まり防止装置１５は、周壁１０によって、前方から見えないようになっている。
【０００９】
図５は、球詰まり防止装置１５を示したものであり、球詰まり防止装置１５は、揺動モータ４１、合成樹脂製の内側ケース４２、外側ケース４３、金属（アルミニウム）製の遮蔽プレート４４等によって組み立て形成されている。
【００１０】
揺動モータ４１は、基端に、位置決め片４５を設けた固定カバー４６が取り付けられており、先端の回転軸４７に、金属製の偏心カム４８が固着されている。
【００１１】
内側ケース４２は、右面の大部分および前面を開口した中空な直方体に形成されている。内側ケース４２の上下には、それぞれ、固定突起４９を設けた押さえ片５０が設置されており、前端縁から突出した状態になっている。なお、各押さえ片５０，５０は、弾性を有しており、外側に押し拡げることができるようになっている。また、押さえ片５０，５０の左側には、モータ固定壁５１が立設されており、そのモータ固定壁５１には、固定スリット５２が設けられている。さらに、内側ケース４２の上下面の右端縁際の内側には、固定溝５３，５３が刻設されている。また、内側ケース４２の上面には、２つの係合片５４，５４が設けられており、それぞれ、右側に折り返された状態になっている。さらに、内側ケース４２の左面の上下には、プレート押さえ片５５，５５が突設されており、それぞれ、内向きに折り返された状態になっている。加えて、内側ケース４２の上下面の前端縁際の外側には、係着突起５６，５６が２つずつ設けられている。
【００１２】
外側ケース４３は、扁平な長方形状に形成されており、上下端縁に、係着鉤体５７，５７が２つずつ内向きに突設されている。また、外側ケース４３の上下の端縁際には、係着スリット５８，５８が穿設されており、その間には、放熱スリット５９，５９・・が穿設されている。また左側には、左端縁から中央にかけて、平行な２本の切り込みが設けられており、固定片６０が形成されている。なお、固定片６０が、弾性を有しており、外側に押し拡げることができるようになっている。
【００１３】
一方、遮蔽プレート４４は、約１ｍｍ程度の厚みを有しており、略帯状に形成されている。また、左端が、若干狭幅に形成されており、右端が、二股状に形成されている。そして、それらの左右両端が、それぞれ、内向きに折り返された状態になっている。
【００１４】
球詰まり防止装置１５は、揺動モータ４１の軸支部６１をモータ固定壁５１の固定スリット５２に嵌め込み、固定カバー４６の位置決め片４５を、固定溝５３，５３に嵌め込むことによって、揺動モータ４１を内側ケース４２内に装着し、外側ケース４３の係着鉤体５７，５７・・に内側ケース４２の係着突起５６，５６・・を係合させることによって、内側ケース４２の前面の開口部分を外側ケース４３で覆うとともに、金属プレート４４を内側ケース４２の外側に取り付けることによって、一体的に組み付けられている。なお、内側ケース４２内に装着された揺動モータ４１は、上下の押さえ片５０，５０によって、内側ケース４２の中で動かないように固定されている。また、押さえ片５０，５０の先端が、外側ケース４３の係着スリット５８，５８内に嵌め込まれており、押さえ片５０，５０が外側に拡がらないようになっている。さらに、外側ケース４３の固定片６０の内側に突設された係止突起（図示せず）が、内側ケース４２のモータ固定壁５１と係合した状態になっており、固定片６０を外側に押し拡げない限り、内側ケース４２と外側ケース４３との係着状態が解除されないようになっている（逆に言えば、固定片６０を外側に押し拡げることによって、内側ケース４２と外側ケース４３との係着状態を解除することができるようになっている）。加えて、遮蔽プレート４４の左端の狭幅部分は、内側ケース４２のプレート押さえ片５５，５５によって、位置決めされており、遮蔽プレート４４の右端の二股状部分は、内側ケース４２の右側の壁面と揺動モータ４１の基端の固定カバー４６とを外側から覆った状態になっている。
【００１５】
そして、組み立てられた球詰まり防止装置１５は、内側ケース４２の上面の係合片５４，５４を、通路樋３の床面６２に穿設された係合孔（図示せず）に係合させることによって、着脱自在に設置されている。そして、内側ケース４２の外側に取り付けられた遮蔽プレート４４が、遊技球通路３２，３２と揺動モータ４１との間に位置した状態になっている。
【００１６】
一方、仕切り体４は、横長な平板状の仕切り板１６の右上部の前後に、設置板１７，１７が略水平に垂設されている。また、それらの設置板１７，１７の略中央には、扁平な円柱状の球詰まり防止体１８，１８が、揺動自在に懸架されており、各設置板１７，１７の右端縁際には、球ならし部材１９，１９が揺動自在に設置されている。
【００１７】
遊技球タンク１は、仕切り体４を通路樋３に着脱自在に立設し、その仕切り体４を立設した通路樋３の上側に貯留桶２を嵌め込むことによって、一体的に組み立てられている。また、一体的に組み立てられた遊技球タンク１においては、貯留桶２の係合翼９ａが通路樋３の係合翼１１で覆われており、貯留桶２の周壁７が通路樋３の周壁１０で覆われている。さらに、通路樋３に立設された仕切り板４によって、通路形成部１３が、遊技球通路３２，３２に区画された状態になっている。
【００１８】
図６は、遊技球タンク１の使用状態を示したものであり、遊技球タンク１は、パチンコ機３５の機構板３３に設けられた通路部材３４の上端に通路樋３の送出突片１２を係止させ、通路樋３の係合翼１１を機構板３３のコ字状金具３８内に嵌入し、貯留桶２の係合翼９ｂを、機構板３３に止着することによって、パチンコ機３５に設置されて使用される。そして、そのように設置された遊技球タンク１においては、パチンコホールから遊技球が供給されると、それらの遊技球が貯留桶２の上方に貯留した後に、流下孔６から、通路樋３の左後方（パチンコ機３５の背面から見た場合の左後方）に流下し、仕切り板１６によって区画された遊技球通路３２，３２へと流下する。さらに、遊技球通路３２，３２へと導かれた遊技球は、床板２８の傾斜に沿って右側へと転動し、送出突片１２の先端の送球孔３６，３６から、通路部材３４を介して、通路部材３４の下側に位置した遊技球払出装置３７へと送り出される。
【００１９】
また、揺動モータ４１に電源が供給されると、金属製の偏心カムの回転によって、揺動モータ４１自体が振動する。これによって、遊技球通路３２，３２内を流下する遊技球の凝集（球詰まり）が防止される。一方、揺動モータ４１と、遊技球通路３２，３２の間に位置した遮蔽プレート４４によって、揺動モータ４１内に設置された永久磁石（図示せず）の磁力および通電されたコイルによる磁力が、遊技球通路３２，３２内を流下する遊技球に及んで遊技球が凝集する事態が防止される。なお、仕切り体４に設けられた球詰まり防止体１８，１８、球ならし部材１９，１９によっても、遊技球通路３２，３２内を流下する遊技球の球詰まりが防止されている。
【００２０】
パチンコ機３５は、上記の如く、揺動モータ４１と遊技球通路３２，３２との間に金属製の遮蔽プレート４４が設置されているため、揺動モータ４１内に設置された永久磁石の磁力および通電されたコイルによる磁力が遊技球通路３２，３２内を流下する遊技球に及ぶことに起因した球詰まりが発生したりしない。
【００２１】
また、パチンコ機３５は、揺動モータ４１を隣設した遊技球通路３２，３２が、遊技球を貯留するための遊技球タンク１内に、上流側から下流側にかけて次第に幅狭になるように形成されたものであるため、最も遊技球が流下しにくい部位において、揺動モータ４１内に設置された永久磁石の磁力および通電されたコイルによる磁力が遊技球通路３２，３２内を流下する遊技球に及ぶことに起因した球詰まりを、非常に効果的に防止することができる。
【００２２】
さらに、パチンコ機３５は、遮蔽プレート４４の左右両端縁が、揺動モータ４１側に折り返されているため、揺動モータ４１内に設置された永久磁石の磁力および通電されたコイルによる磁力の遮蔽効果（永久磁石の磁力および通電されたコイルによる磁力が遊技球通路３２，３２内を流下する遊技球に及ぶ事態を防止する効果）が、より精度の高いものとなっている。
【００２３】
加えて、パチンコ機３５は、固定片６０を押し拡げて、内側ケース４２と外側ケース４３との係着状態を解除することによって、揺動モータ４１を容易に取り外して、修理・メンテナンスに供することができる。
【００２４】
なお、本発明のパチンコ機の構成は、上記した各実施例の態様に何ら限定されるものではなく、遊技球タンク、遊技球通路、機構板、通路部材、遊技球払出装置等の形状・構造等の構成を、本発明の趣旨を逸脱しない範囲で、必要に応じて適宜変更できる。
【００２５】
たとえば、パチンコ機は、遊技球タンクに設けられた遊技球通路に揺動モータを隣設したものに限定されず、通路部材に設けられた遊技球通路等の遊技球タンク以外の場所に設けられた遊技球通路に揺動モータを隣設したものでも良い。また、遊技球タンクは、貯留桶、通路樋、仕切り体等を組み付けたものに限定されず、貯留桶と通路樋とを一体にしたものでも良い。また、２つの遊技球通路を設けたものに限定されず、１つのみの遊技球通路を設けたもの、３つ以上の遊技球通路を設けたものでも良い。さらに、揺動モータは、必ずしも、内側ケースと外側ケースとによってを覆う必要はなく、一体のケースによって覆うことも可能であるし、揺動モータをそのまま遊技球タンクに固着することも可能である。また、揺動モータの設置位置は、遊技球通路と隣接した位置であれば、遊技球通路の横側等に変更することも可能である。加えて、遮蔽プレートの材質もアルミニウムに限定されず、鉄やステンレス等の他の金属に変更することも可能である。また、遮蔽プレートは、上記実施形態の如き帯状を有するもの限定されず、揺動モータ全体を覆うように設けることも可能である。
【００２６】
【発明の効果】
請求項１に記載されたパチンコ機は、揺動モータを収納するケース部材と遊技球通路との間に金属製の遮蔽プレートが設置されているため、揺動モータ内に設置された永久磁石の磁力および通電されたコイルによる磁力が遊技球通路内を流下する遊技球に及ぶことに起因した球詰まりが発生したりしない。
また、遮蔽プレートの端縁の内の少なくとも一部が、揺動モータ側に折り返されているため、揺動モータ内に設置された永久磁石の磁力および通電されたコイルによる磁力の遮蔽効果（永久磁石の磁力および通電されたコイルによる磁力が遊技球通路内を流下する遊技球に及ぶ事態を防止する効果）の精度が、非常に高い。
【００２７】
請求項２に記載されたパチンコ機は、外側に揺動モータを隣設した遊技球通路が、上流側から下流側にかけて次第に幅狭になるように形成されたものであるため、最も遊技球が流下しにくい部位において、揺動モータ内に設置された永久磁石の磁力および通電されたコイルによる磁力が遊技球通路内を流下する遊技球に及ぶことに起因した球詰まりを、非常に効果的に防止することができる。
【図面の簡単な説明】
【図１】遊技球タンクの斜視図（前側上方から見た斜視図）である。
【図２】遊技球タンクの斜視図（前側下方から見た斜視図）である。
【図３】遊技球タンクの平面図である。
【図４】遊技球タンクの分解斜視図である。
【図５】球詰まり防止装置の分解斜視図である。
【図６】パチンコ機の背面図である。
【符号の説明】
１・・遊技球タンク、２・・貯留桶、３２・・遊技球通路、４１・・揺動モータ、４４・・遮蔽プレート、３５・・パチンコ機。
【図１】
0004720006.tif 000002
【図２】
0004720006.tif 000003
【図３】
0004720006.tif 000004
【図４】
0004720006.tif 000005
【図５】
0004720006.tif 000006
【図６】
0004720006.tif 000007